(57)【特許請求の範囲】
【請求項１】
非接触媒体が記憶する残額情報を読み取って商品を販売する自動販売機の商品販売装置であって、
前記非接触媒体が近接したとき、前記非接触媒体から現在の残額情報を読み取り、現在の残額情報で販売可能な商品のみを選択可能とし、更に、前記非接触媒体が再度近接したとき、前記非接触媒体の現在の残額情報から選択商品の金額情報を減算し、選択商品を販売する制御手段を、
備えたことを特徴とする自動販売機の商品販売装置。
【請求項２】
前記制御手段は、前記非接触媒体が２度近接したときの残額情報を読み取って一致を検出することにより、前記非接触媒体の現在の残額情報から選択商品の金額情報を減算し、選択商品を販売することを特徴とする請求項１記載の自動販売機の商品販売装置。
【請求項３】
前記制御手段は、前記非接触媒体が２度近接したときの残額情報を読み取って不一致を検出することにより、選択商品の販売を無効とすることを特徴とする請求項１または２記載の自動販売機の商品販売装置。
【請求項４】
前記制御手段は、前記非接触媒体が近接したとき、同一の非接触媒体が２度近接したことを検出するための確認情報を前記非接触媒体に記憶し、前記非接触媒体が再度近接したとき、前記確認情報を読み取って正誤判別することを特徴とする請求項１記載の自動販売機の商品販売装置。
【請求項５】
前記制御手段は、前記確認情報を正と判別することにより、前記非接触媒体の現在の残額情報から選択商品の金額情報を減算し、選択商品を販売することを特徴とする請求項４記載の自動販売機の商品販売装置。
【請求項６】
前記制御手段は、前記確認情報を誤と判別することにより、前記選択商品の販売を無効とすることを特徴とする請求項４または５記載の自動販売機の商品販売装置。
【請求項７】
前記制御手段は、販売の異常を検出することにより、前記非接触媒体の近接を要求するとともに、前記非接触媒体の残額情報に選択商品の金額情報を戻すことを特徴とする請求項１乃至６の何れかに記載の自動販売機の商品販売装置。
【請求項８】
前記制御手段は、前記非接触媒体の近接から次の近接までの所定の期間に要する時間が一定時間を超過したことを検出することにより、商品を販売するための処理を禁止することを特徴とする請求項１乃至７の何れかに記載の自動販売機の商品販売装置。
【請求項９】
前記制御手段は、人体センサが前記非接触媒体の近接から次の近接までの間に人体を検出しなくなったときの出力に基づいて、商品を販売するための処理を禁止することを特徴とする請求項１乃至７の何れかに記載の自動販売機の商品販売装置。
【請求項１０】
前記非接触媒体は、残額情報を記憶する記憶部と、前記記憶部における残額情報の読み出しまたは書き込みを行う情報処理部と、自動販売機との間で残額情報を送受信する送受信部と、から成る非接触ＩＣカードであることを特徴とする請求項１乃至９の何れかに記載の自動販売機の商品販売装置。
【請求項１１】
非接触媒体が記憶する個人識別情報および残額情報を読み取って商品を販売する自動販売機の商品販売装置であって、
前記非接触媒体が近接したとき、前記非接触媒体から個人識別情報を読み取って、この個人識別情報が正当であることを検出すると商品を選択可能な状態とし、更に、商品選択後に前記非接触媒体が再度近接したとき、前記非接触媒体の現在の残額情報から選択商品の金額情報を減算し、この選択商品を販売する制御手段を、備えたことを特徴とする自動販売機の商品販売装置。
【発明の詳細な説明】
【０００１】
【発明の属する技術分野】
本発明は、非接触媒体（非接触ＩＣカード）を利用する自動販売機の商品販売装置に関する。
【０００２】
【従来の技術】
最近では、金融、交通、物流を始めとする幅広い分野で、非接触ＩＣカードを使用する管理システムが普及し始めている。この理由は、利用者がリーダライタからの電磁波の有効範囲内に非接触ＩＣカードをかざす（近接する）だけで、非接触ＩＣカードの情報を読み書きできるという、利便性を有する点に起因する。
【０００３】
また、飲食物等の商品を取り扱う自動販売機の分野でも、非接触ＩＣカードを使用して商品を販売するものが同様に普及し始めている。以下、プリペイド型の非接触ＩＣカードを使用して商品を販売するまでの一連の処理手順を説明する。先ず、利用者は、自動販売機の前扉に配設された複数の商品選択釦の何れかを押下し、その後、自動販売機の前扉に配設されたリーダライタの近傍で非接触ＩＣカードをかざす。次に、リーダライタは、非接触ＩＣカードから残額情報を読み取る。次に、自動販売機内の制御部は、非接触ＩＣカードからの残額情報が商品を購入可能であるものと判別すると、商品の払い出しを指示する。これより、自動販売機内の販売機構は、先の指示に従って、利用者が希望する商品を取出口まで搬出する。尚、上記に関連する技術は、例えば特開２０００−２６８２３９号に開示されている。
【０００４】
【発明が解決しようとする課題】
上記した複数の商品選択釦は、商品を販売可能な待機状態において、常時点灯するものと、利用者が専用の釦（またはスイッチ）を操作した後に点灯するものの、２種類がある。
【０００５】
しかし、前者の場合、点灯中の商品選択釦を簡単に押下できるので、利用者は、他人が点灯中の何れかの商品選択釦を押下したときに自動販売機に近づくと、利用者の意志に反して、利用者自身の非接触ＩＣカードの残額情報から他人の選択商品の金額情報を減額されるという不都合を被る問題があった。また、後者の場合、自動販売機の部品点数が増加するので、前者の問題を解決できる反面、自動販売機の製造および販売に要する費用が上昇し、更に、利用者が商品を購入する際の操作も煩雑となる問題があった。
【０００６】
そこで、本発明は、上記の問題を解決し、利用者が非接触媒体を２度近接することによって選択商品を購入できる、自動販売機の商品販売装置を提供することを目的とする。
【０００７】
【課題を解決するための手段】
本発明は、前記問題点を解決するために創作されたものである。
【０００８】
請求項１は、非接触媒体が記憶する残額情報を読み取って商品を販売する自動販売機の商品販売装置であって、前記非接触媒体が近接したとき、前記非接触媒体から現在の残額情報を読み取り、現在の残額情報で販売可能な商品のみを選択可能とし、更に、前記非接触媒体が再度近接したとき、前記非接触媒体の現在の残額情報から選択商品の金額情報を減算し、選択商品を販売する制御手段を、備えたものである。よって、利用者の非接触媒体の残額情報から誤った金額情報を減額するのを防止し、自動販売機の製造および販売に要する費用の上昇を抑止し、更に、利用者が商品を購入する際の操作を簡単とする、等の作用効果を奏する。
【０００９】
請求項２は、請求項１に係り、前記制御手段は、前記非接触媒体が２度近接したときの残額情報を読み取って一致を検出することにより、前記非接触媒体の現在の残額情報から選択商品の金額情報を減算し、選択商品を販売するものである。請求項３は、請求項１または２に係り、前記制御手段は、前記非接触媒体が２度近接したときの残額情報を読み取って不一致を検出することにより、選択商品の販売を無効とするものである。よって、残額が多い非接触媒体を近接した後、残額が少ない異なる非接触媒体を再度近接しても、残額情報の変更も商品の販売もしないので、後者の非接触媒体の残額が悪戯で増加するのを防止する作用効果を奏する。
【００１０】
請求項４は、請求項１に係り、前記制御手段は、前記非接触媒体が近接したとき、同一の非接触媒体が２度近接したことを検出するための確認情報を前記非接触媒体に記憶し、前記非接触媒体が再度近接したとき、前記確認情報を読み取って正誤判別するものである。請求項５は、請求項４に係り、前記制御手段は、前記確認情報を正と判別することにより、前記非接触媒体の現在の残額情報から選択商品の金額情報を減算し、選択商品を販売するものである。請求項６は、請求項４または５に係り、前記制御手段は、前記確認情報を誤と判別することにより、前記選択商品の販売を無効とするものである。よって、利用者を確実に特定する作用効果を奏する。
【００１１】
請求項７は、請求項１乃至６の何れかに係り、前記制御手段は、販売の異常を検出することにより、前記非接触媒体の近接を要求するとともに、前記非接触媒体の残額情報に選択商品の金額情報を戻すものである。よって、商品を販売しないときは確実に返金する作用効果を奏する。
【００１２】
請求項８は、請求項１乃至７の何れかに係り、前記制御手段は、前記非接触媒体の近接から次の近接までの所定の期間に要する時間が一定時間を超過したことを検出することにより、商品を販売するための処理を禁止するものである。請求項９は、請求項１乃至７の何れかに係り、前記制御手段は、人体センサが前記非接触媒体の近接から次の近接までの間に人体を検出しなくなったときの出力に基づいて、商品を販売するための処理を禁止するものである。よって、利用者が商品を購入する手続きを途中で中止しても、次の利用者が商品を購入するための待機状態となる作用効果を奏する。
【００１３】
請求項１０は、請求項１乃至９の何れかに係り、前記非接触媒体は、残額情報を記憶する記憶部と、前記記憶部における残額情報の読み出しまたは書き込みを行う情報処理部と、自動販売機との間で残額情報を送受信する送受信部と、から成る非接触ＩＣカードである。よって、非接触ＩＣカードは携行しやすいので、商品の販売を促進する作用効果を奏する。
【００１４】
請求項１１は、非接触媒体が記憶する個人識別情報および残額情報を読み取って商品を販売する自動販売機の商品販売装置であって、前記非接触媒体が近接したとき、前記非接触媒体から個人識別情報を読み取って、この個人識別情報が正当であることを検出すると商品を選択可能な状態とし、更に、商品選択後に前記非接触媒体が再度近接したとき、前記非接触媒体の現在の残額情報から選択商品の金額情報を減算し、この選択商品を販売する制御手段を、備えたものである。例えば、煙草、アルコール飲料等の未成年者への販売を禁止されている商品を取り扱う自動販売機に適用する場合においては、個人識別情報を生年月日情報にして、自動販売機を管理する管理会社等、正当な管理をできるところが非接触媒体に登録申請のあった利用者の生年月日情報を記憶させて当該利用者に事前に配布すればよい。これより、自動販売機は、利用者が非接触媒体を自動販売機に２度近接することで、未成年者を確実に判別して商品の販売を禁止することと、成年者に対しては商品の販売とともに決済を確実にできる作用効果を奏する。
【００１５】
【発明の実施の形態】
本発明の詳細を図面に従って具体的に説明する。
【００１６】
図１は、本発明を使用する自動販売機の正面図の一例である。尚、この自動販売機は、利用者が非接触ＩＣカードをかざすことにより、例えば缶飲料を販売するものである。
【００１７】
図１において、前扉１は、自動販売機の左側面端（または右側面端）を支軸として開閉するものであり、コラム設定、缶飲料補充等を行うときは解錠して開き、通常販売を行うときは施錠して閉じておくものである。パネル２は、透明な樹脂板であり、内部に陳列されている複数種類の缶飲料サンプル３を確認するためのものである。つまり、利用者は、パネル２を通して複数種類の缶飲料サンプル３を見渡すことにより、購入したい缶飲料を選択できる。商品選択釦４は、販売可ランプおよび売り切れランプを内蔵し、缶飲料サンプル３それぞれに対応してパネル２に設けられるものである。販売可ランプは、自動販売機内部のコラムに缶飲料が収容されている場合のみ、この缶飲料に対応するものが点灯する。売り切れランプは、自動販売機内部の所定コラムが空になると、この缶飲料に対応するものが常時点灯する。利用者が前扉１と対面して残額情報を記憶するプリペイド型の非接触ＩＣカード５（非接触媒体）をかざすと、非接触ＩＣカード５が缶飲料を購入可能な残額情報を有するときのみ該当する商品選択釦４が点灯する。その後、利用者が点灯中の商品選択釦４の何れかを押下すると、この缶飲料サンプル３に対応する缶飲料が商品取出口６まで搬出される。リーダライタ７は、非接触ＩＣカード５の電源を立ち上げるための電磁波を常時発生し、非接触ＩＣカード５における残額情報の読み出しまたは書き込みを制御するものである。つまり、非接触ＩＣカード５は、リーダライタ７からの電磁波の有効範囲内（例えば数十cm）に近接すると、電磁誘導の作用を受けて電源が立ち上がり、残額情報の読み出しまたは書き込みを行う。表示部８は、非接触ＩＣカード５からの読み出し情報（例えば購入前の残額内容）、この読み出し情報を用いた所定の論理演算情報（例えば購入後の残額内容）、更には、販売中、販売中止等の情報を表示するものである。
【００１８】
図２は、本発明の自動販売機の商品販売装置を説明するためのブロック図である。
【００１９】
図２において、主制御部１０１は、自動販売機の制御を統括するものであり、ＲＯＭ、ＣＰＵ、ＲＡＭ、周辺回路（タイマ、レジスタ等）を内蔵するものである。詳細すると、ＲＯＭは、後述する複数の従制御部を統括制御するためのプログラムデータと、コラム設定、価格設定等のテーブルデータとが予め格納されたものである。ＣＰＵは、ＲＯＭから読み出されたプログラムデータの解読結果に従って複数の従制御部を統括制御するものである。ＲＡＭは、ＣＰＵによる演算結果、複数の従制御部からの各種データ等の書き込みまたは読み出しを行うものである。ハードウエア面では、ＲＯＭは、データを製造工程で焼き付け固定するマスクＲＯＭ、データを紫外線消去することによりデータを繰り返し書き込み読み出しできるＥＰＲＯＭ、またはデータを電気消去することによりデータを繰り返し書き込み読み出しできるＥＥＰＲＯＭ（フラッシュメモリを含む）等の不揮発性メモリである。ＣＰＵは、ＲＯＭの実行アドレスを指定するプログラムカウンタ、ＲＯＭからの読み出し内容を解読するインストラクションデコーダ、論理演算を行う演算論理ユニット、演算データを一時格納するアキュムレータ等を内蔵する。ＲＡＭは、ＳＲＡＭ等の揮発性メモリであり、記憶内容を保持するためのバックアップ電源（電池）を有する。カード処理制御部１０２、接客制御部１０３、販売制御部１０４、入力制御部１０５は、複数の従制御部に相当し、ハードウエア面において、主制御部１０１と同様のＲＯＭ、ＣＰＵ、ＲＡＭを内蔵する。リーダライタ７は、送受信部１０６を介して電磁波を常時発生し、非接触ＩＣカード５との間で通信を行う。カード処理制御部１０２は、リーダライタ７を制御し、非接触ＩＣカード５からの読み出し情報の種類、正当性を判別したり、非接触ＩＣカード５からの読み出し情報を主制御部１０１に送信したり、非接触ＩＣカード５への書き込み情報をリーダライタ７に送信したりするものである。接客部１０７は、複数種類の缶飲料サンプル３に対応して設けられた複数の商品選択釦４と、表示部８とを備えたものである。接客制御部１０３は、接客部１０７を制御する。つまり、接客制御部１０３は、主制御部１０１からの缶飲料販売に関する接客指示に従って、表示部８に販売中または販売中止を表示させたり、複数の商品選択釦４毎の販売可ランプまたは売り切れランプを点灯させたり、更には、複数の商品選択釦４の何れが押下されたのかを検出し、このときの検出信号を主制御部１０１に送信したりする。販売機構１０８は、利用者が押下した商品選択釦４と対応する缶飲料を商品取出口６まで搬出させるものである。販売制御部１０４は、販売機構１０８を制御する。つまり、主制御部１０１が、カード処理制御部１０２から非接触ＩＣカード５の読み出し情報を受け取り、利用者が缶飲料を購入できるものと判別すると、販売制御部１０４は、接客制御部１０３からの前記検出信号に応答した主制御部１０１からの販売指示に従って、利用者が押下した商品選択釦４と対応する缶飲料を商品取出口６まで搬出させる。キー入力部１０９は、前扉１の背面に着脱自在に配設され、コラム設定、価格設定等のデータを入力するためのものである。入力制御部１０５は、キー入力部１０９からの設定データを主制御部１０１に送信するためのインターフェイスを行うものである。
【００２０】
非接触ＩＣカード５は、主制御部１０１と同様のＲＯＭ、ＣＰＵ、ＲＡＭと、リーダライタ７からの電磁波を受け取るコイルアンテナ１１０と、リーダライタ７との間で通信を行う送受信部１１１と、を内蔵する。ＲＯＭは、データを書き換えできるＥＥＰＲＯＭ等の不揮発性メモリであり、リーダライタ７との間の通信を制御するためのプログラムデータを記憶したものである。ＲＡＭは、銀行の電子マネー取扱装置と双方向通信することにより、所定金額範囲内の電子マネーを記憶したものである。
【００２１】
図３および図４は、本発明の自動販売機の商品販売装置の動作を説明するためのフローチャートである。尚、缶飲料の価格は、Ｘ円、Ｙ（＞Ｘ）円の２種類とする。
【００２２】
先ず、利用者が、非接触ＩＣカード５をリーダライタ７の近傍でかざすと、リーダライタ７は、非接触ＩＣカード５のＲＡＭが記憶する残額情報を読み取り、カード処理制御部１０２に送信する。カード処理制御部１０２は、リーダライタ７からの残額情報を主制御部１０１に送信する。これより、主制御部１０１は、カード処理制御部１０２からの残額情報を割り込み要求として受信するとともにＲＡＭまたはレジスタに保持し、缶飲料を販売するための処理を開始する（Ａ１）。
【００２３】
主制御部１０１は、カード処理制御部１０２がリーダライタ７からの読み取り情報を後述するステップＡ１６まで受信しないための禁止信号を、カード処理制御部１０２に送信する。これより、カード処理制御部１０２は、利用者の残額情報を一度受信すると、その後、他の利用者の残額情報を受信しなくなるので、残額情報を用いる誤演算を防止できる（Ａ２）。
【００２４】
主制御部１０１は、ＲＡＭまたはレジスタに保持している残額情報から残額Ｚ円を求める（Ａ３）．
主制御部１０１は、残額Ｚ円が缶飲料の価格Ｘ円以上であるかどうかを判別する（Ａ４）。主制御部１０１は、残額Ｚ円が缶飲料の価格Ｘ円未満であるものと判別すると（Ａ４：ＮＯ）、利用者が缶飲料を購入する資格を持たないので、ステップＡ５以降の処理を実行せずに終了する。一方、主制御部１０１は、残額Ｚ円が缶飲料の価格Ｘ円以上であるものと判別すると（Ａ４：ＹＥＳ）、利用者が缶飲料を購入する資格を持つことになるので、この利用者が使用する非接触ＩＣカード５を特定するための確認情報をカード処理制御部１０２に送信する。カード処理制御部１０２は、この確認情報をリーダライタ７を介して非接触ＩＣカード５に送信する。非接触ＩＣカード５は、この確認情報をＲＡＭの特定アドレスに書き込む。尚、主制御部１０１は、この確認情報をＲＡＭまたはレジスタに一時保持する（Ａ５）。
【００２５】
つまり、主制御部１０１は、利用者が非接触ＩＣカード５をかざす１〜２秒の間に、上記のステップＡ１〜Ａ５を実行する。
【００２６】
主制御部１０１は、更に、残額Ｚ円が缶飲料の価格Ｙ円以上であるかどうかを判別する（Ａ６）。主制御部１０１は、残額Ｚ円が缶飲料の価格Ｙ円以上であるものと判別すると（Ａ６：ＹＥＳ）、価格Ｘ円およびＹ円の缶飲料と対応する商品選択釦４の販売可ランプを点灯するための信号を接客制御部１０３に送信する。これより、売り切れを除く価格Ｘ円およびＹ円の缶飲料と対応する商品選択釦４の販売可ランプが点灯する（Ａ７）。一方、主制御部１０１は、残額Ｚ円が缶飲料の価格Ｙ円未満であるものと判別すると（Ａ６：ＮＯ）、価格Ｘ円の缶飲料と対応する商品選択釦４の販売可ランプを点灯するための信号を接客制御部１０３に送信する。これより、売り切れを除く価格Ｘ円の缶飲料と対応する商品選択釦４の販売可ランプが点灯する（Ａ８）。
【００２７】
主制御部１０１は、上記のステップＡ７、Ａ８の商品選択釦４の販売可ランプを点灯するための信号を出力すると、タイマをリセットするとともに自走または他走の発振クロックを所定分周した１秒信号を供給して計数開始する（Ａ９）。
【００２８】
主制御部１０１は、タイマが計数開始すると、接客制御部１０３からの商品選択釦４の押下信号を受信したかどうかを判別する（Ａ１０）。主制御部１０１は、接客制御部１０３からの商品選択釦４の押下信号を受信していないものと判別すると（Ａ１０：ＮＯ）、更に、タイマがＴ１（例えば３０秒）を計数したかどうかを判別する（Ａ１１）。主制御部１０１は、タイマがＴ１を計数していないものと判別すると（Ａ１１：ＮＯ）、上記のステップＡ１０を再度実行し、タイマがＴ１を計数したものと判別すると（Ａ１１：ＹＥＳ）、利用者が缶飲料を購入する意志を持たないものと見なし、タイマの計数を停止するとともにＲＡＭまたはレジスタの残額情報を消去し、点灯中の商品選択釦４の販売可ランプを消灯するための信号を接客制御部１０３に送信する。これより、点灯中の商品選択釦４の販売可ランプが消灯して、ステップＡ１０以降の処理を実行せずに終了する（Ｓ１２）。一方、主制御部１０１は、接客制御部１０３からの商品選択釦４の押下信号を受信したものと判別すると（Ａ１０：ＹＥＳ）、更に、接客制御部１０３からの商品選択釦４の押下信号が価格Ｘ円またはＹ円の何れに対応するのかを判別する（Ａ１３）。主制御部１０１は、接客制御部１０３からの商品選択釦４の押下信号が価格Ｘ円に対応するものと判別すると（Ａ１３：ＹＥＳ）、残額Ｚ円から価格Ｘ円を減算して、（Ｚ−Ｘ）円の残額情報をカード処理制御部１０２に送信する（Ａ１４）。一方、主制御部１０１は、接客制御部１０３からの商品選択釦４の押下信号が価格Ｘ円に対応しないものと判別すると（Ａ１３：ＮＯ）、残額Ｚ円から価格Ｙ円を減算して、（Ｚ−Ｙ）円の残額情報をカード処理制御部１０２に送信する（Ａ１５）。
【００２９】
主制御部１０１は、上記のステップＡ１４、Ａ１５の減算後の残額情報をカード処理制御部１０２に送信すると、更に、カード処理制御部１０２がリーダライタ７からの読み取り情報を受信再開するための許可信号を送信する（Ａ１６）。
【００３０】
主制御部１０１は、利用者が非接触ＩＣカード５をかざすことを促すための表示信号を接客制御部１０３に送信する。接客制御部１０３は、この表示信号に応答して、「カードヲ  カザシテクダサイ」等の案内文を表示部８に表示する。これより、利用者は、非接触ＩＣカード５を再度かざすことを確認する。つまり、利用者が、非接触ＩＣカード５をリーダライタ７の近傍でかざすと、リーダライタ７は、非接触ＩＣカード５が記憶する確認情報を読み取り、カード処理制御部１０２に送信する。カード処理制御部１０２は、リーダライタ７からの確認情報を主制御部１０１に送信する（Ａ１７）。
【００３１】
主制御部１０１は、上記のステップＡ１７の表示信号を出力すると、タイマを再度リセットするとともに１秒信号を供給して計数開始する（Ａ１８）。
【００３２】
主制御部１０１は、タイマが計数開始すると、カード処理制御部１０２からの確認情報を受信したかどうかを判別する（Ａ１９）。主制御部１０１は、カード処理制御部１０２からの確認情報を受信していないものと判別すると（Ａ１９：ＮＯ）、更に、タイマがＴ２（例えば３０秒）を計数したかどうかを判別する（Ａ２０）。主制御部１０１は、タイマがＴ２を計数していないものと判別すると（Ａ２０：ＮＯ）、上記のステップＡ１９を再度実行し、タイマがＴ２を計数したものと判別すると（Ａ２０：ＹＥＳ）、利用者が缶飲料を購入する意志を持たないものと見なし、タイマの計数を停止し、ＲＡＭまたはレジスタの残額情報を消去し、カード処理制御部１０２が有する減算後の残額情報を無効とする。これより、ステップＡ１９以降の処理を実行せずに終了する（Ａ２１）。一方、主制御部１０１は、カード処理制御部１０２からの確認情報を受信したものと判別すると（Ａ１９：ＹＥＳ）、更に、カード処理制御部１０２からの確認情報が本来の確認情報と一致するかどうかを判別する（Ａ２２）。主制御部１０１は、カード処理制御部１０２からの確認情報が本来の確認情報と一致しないものと判別すると（Ａ２２：ＮＯ）、利用者が異なる非接触ＩＣカード５をかざしたものと見なし、上記のステップＡ２１を再度実行し、ステップＡ２２以降の処理を実行せずに終了する。一方、主制御部１０１は、カード処理制御部１０２からの確認情報が本来の確認情報と一致するものと判別すると（Ａ２２：ＹＥＳ）、非接触ＩＣカード５のＲＡＭが記憶する残額情報を減算後の残額情報に書き換えるための書換信号をカード処理制御部１０２に送信する。カード処理制御部１０２は、書換信号に応答して、減算後の残額情報をリーダライタ７を介して非接触ＩＣカード５に送信する。非接触ＩＣカード５は、ＲＡＭの残額情報を減算後の残額情報に書き換え、書換終了信号をリーダライタ７を介してカード処理制御部１０２に送信する。カード処理制御部１０２は、書換終了信号を主制御部１０１に送信する（Ａ２３）。
【００３３】
つまり、主制御部１０１は、利用者が非接触ＩＣカード５を再度かざす１〜２秒の間に、上記のステップＡ１９、Ａ２１、Ａ２２、Ａ２３を実行する。
【００３４】
主制御部１０１は、カード処理制御部１０２からの書換終了信号を受信したものと判別すると（Ａ２４：ＹＥＳ）、商品選択釦４の押下信号と対応する販売信号を販売制御部１０４に送信する。販売制御部１０４は、販売信号に応答して、利用者が希望する缶飲料を販売機構１０８から払い出し、販売終了信号を主制御部１０１に送信する（Ａ２５）。
【００３５】
主制御部１０１は、販売制御部１０４からの販売終了信号を受信したかどうかを判別する（Ａ２６）。主制御部１０１は、販売制御部１０４からの販売終了信号を受信したものと判別すると（Ａ２６：ＹＥＳ）、利用者が希望する缶飲料を正常に販売したものとして、処理を終了する。一方、主制御部１０１は、販売制御部１０４からの販売終了信号を受信していないものと判別すると（Ａ２６：ＮＯ）、更に、販売制御部１０４からの販売異常信号を受信したかどうかを判別する（Ａ２７）。主制御部１０１は、販売制御部１０４からの販売異常信号を受信していないものと判別すると（Ａ２７：ＮＯ）、上記のステップＡ２６を再度実行し、販売制御部１０４からの販売異常信号を受信したものと判別すると（Ａ２７：ＹＥＳ）、更に、販売対象の缶飲料の価格がＸ円であるかどうかを判別する（Ａ２８）。主制御部１０１は、販売対象の缶飲料の価格がＸ円であるものと判別すると（Ａ２８：ＹＥＳ）、残額（Ｚ―Ｘ）円に価格Ｘ円を加算して、Ｚ円の残額情報をカード処理制御部１０２に送信する（Ａ２９）。一方、主制御部１０１は、販売対象の缶飲料の価格がＸ円でないものと判別すると（Ａ２８：ＮＯ）、残額（Ｚ―Ｙ）円に価格Ｙ円を加算して、Ｚ円の残額情報をカード処理制御部１０２に送信する（Ａ３０）。
【００３６】
主制御部１０１は、利用者が非接触ＩＣカード５をかざすことを促すための表示信号を接客制御部１０３に送信する。接客制御部１０３は、この表示信号に応答して、「カードヲ  カザシテクダサイ  ヘンキンシマス」等の案内文を表示部８に表示する。これより、利用者は、非接触ＩＣカード５を再度かざすことを確認する。つまり、利用者が、非接触ＩＣカード５をリーダライタ７の近傍でかざすと、リーダライタ７は、非接触ＩＣカード５が記憶する確認情報を読み取り、カード処理制御部１０２に送信する。カード処理制御部１０２は、リーダライタ７からの確認情報を主制御部１０１に送信する。（Ａ３１）。
【００３７】
主制御部１０１は、カード処理制御部１０２からの確認情報を受信しかたどうかを確認する（Ａ３２）。主制御部１０１は、カード処理制御部１０２からの確認情報を受信したものと判別すると（Ａ３２：ＹＥＳ）、更に、カード処理制御部１０２からの確認情報が本来の確認情報と一致するかどうかを判別する（Ａ３３）。主制御部１０１は、カード処理制御部１０２からの確認情報が本来の確認情報と一致しないものと判別すると（Ａ３３：ＮＯ）、上記のステップＡ３１を再度実行する。一方、主制御部１０１は、カード処理制御部１０２からの確認情報が本来の確認情報と一致したものと判別すると（Ａ３３：ＹＥＳ）、非接触ＩＣカード５のＲＡＭが記憶する残額情報を加算後の残額情報に書き換えるための書換信号をカード処理制御部１０２に送信する。カード処理制御部１０２は、書換信号に応答して、加算後の残額情報（元の残額情報）をリーダライタ７を介して非接触ＩＣカード５に送信する。非接触ＩＣカード５は、ＲＡＭの残額情報を加算後の残額情報に書き換え、書換終了信号をリーダライタ７を介してカード処理制御部１０２に送信する。カード処理制御部１０２は、書換終了信号を主制御部１０１に送信する（Ａ３４）。主制御部１０１は、カード処理制御部１０２からの書換終了信号を受信したものと判別すると（Ａ３５：ＮＯ）、処理を終了する。
【００３８】
尚、上記の確認情報の代わりに、非接触ＩＣカード５が２度近接したときの残額情報を読み取って一致または不一致を検出するようにしてもよい。また、上記のタイマの代わりに、人体センサが非接触ＩＣカード５の近接から次の近接までの間に人体を検出しなくなったときの出力に基づいて、缶飲料を販売するための処理を禁止するようにしてもよい。
【００３９】
本発明における他の実施の形態を以下に説明する。自動販売機が取り扱う商品の中には、煙草、アルコール飲料のように未成年者への販売を禁止しなければならない商品もあり、このような自動販売機では商品を購入しようとしている利用者が未成年者であるかどうかを確実に判別しなければならず、例えば運転免許証を取り込んでその中の生年月日情報を光学的に読み取って未成年者であるかどうかを判別したりしている。しかし、自動販売機に光学的な読み取り手段を設けても、偽造された運転免許証を確実に判別できるものでもなく、また正式な運転免許証であっても汚れていたりすると生年月日情報を確実に読み取ることができなくなったりして、生年月日情報から利用者の年齢を判別する点で信頼性に問題があるのが事実である。また利用者の生年月日情報を磁気データまたは電子データ（バイナリデータ）の形で予め記憶したカードを当該利用者に予め配布しておき、自動販売機がこのカードを取り込んで当該利用者の年齢を判別する技術も考えられている。しかし、この場合でもカードを自動販売機内部に一旦取り込まなければならず、利用者が商品を購入した際にカードを取り忘れて結局のところカードを紛失してしまう恐れがある。この問題を解決するためにカード取り忘れ防止策として表示器にメッセージを表示したりブザーで警告したりすることも考えられるが、結局のところこれはコストアップにつながり好ましいことではない。更に、自動販売機にカードを差し込んだりその後カードを抜き取ったりする操作は、カードが利用者の手から一旦離れてしまうのでスムーズな購入動作を行うことができない問題もある。
【００４０】
こういった点から、利用者の購入操作をスムーズにするとともに利用者が未成年者であるかどうかを確実に判別するために、非接触ＩＣカードを媒体として自動販売機で利用者の年齢を判別させる好ましい実施形態を考えた。詳述すると、自動販売機を正当に管理できる管理会社等が、利用者の年齢を判別する機能を有する自動販売機を用意して必要とされる各ロケーションに設置し、更に各利用者からの登録申請に応じて各利用者の生年月日情報（個人識別情報）を内部メモリに記憶した非接触ＩＣカードを各利用者毎に作成して事前に郵送等で配布しておく。尚、この非接触ＩＣカードの内部メモリは、生年月日情報の他に電子価値情報（残額情報）を記憶するエリアを有しており、利用者自らが利用する銀行等に設置された専用機を使用することによって、非接触ＩＣカードの内部メモリに預金残額を限度として電子価値情報を必要とするその都度記憶できるものとする。
【００４１】
先ず利用者は、自動販売機と対面し、生年月日情報および電子価値情報が記憶されている非接触ＩＣカードを自動販売機に近接する。これによって、自動販売機の主制御部１０１では、リーダライタ７から取り込まれた生年月日情報と現在の日時情報との差から当該利用者の年齢を算出し、未成年者であるかどうかを判別する。このとき、主制御部１０１では利用者が未成年者であるものと判別すると、その後の販売処理を実行せずに、このときリーダライタが取り込んだ全情報を消去して一連の処理を終了する。一方、主制御部１０１が利用者を未成年者ではなく２０歳以上であるものと判別すると、同時に取り込んだ金銭価値情報に応じて販売可能な金額の煙草、アルコール飲料等の商品に対応する商品選択釦４を点灯するための信号を接客制御部１０３に送信し、これによって該当する商品選択釦４が点灯する。その後、利用者が希望する商品選択釦４を押下して非接触ＩＣカードを自動販売機に再度近接させると、主制御部１０１が演算処理した上記の金銭価値情報から販売した商品の金額を減額した新たな金銭価値情報を、カード処理制御部１０２およびリーダライタ７を経由して非接触ＩＣカードに送信し、内部メモリの金銭価値情報を減額後の新たな金銭価値情報に更新する。尚、主制御部１０１が利用者を未成年者ではないものと判別したあとの制御シーケンスは、図３および図４と同様であるため、この点における詳細説明は省略するものとする。
【００４２】
これより、自動販売機としては、自動販売機を正当に管理する管理会社等が非接触ＩＣカードを配布するので、利用者の生年月日情報から当該利用者が未成年者であるかどうかを確実に判別でき、未成年者への成人向け商品の販売を確実に防止できる。更に、利用者としては、未成年者判別機能を非接触ＩＣカードで実現するので、カードを手に持ったまま未成年者識別から商品販売までの一連の処理をスムーズに行うことができ、カードを紛失したり問題を解決することができる。
【００４３】
【発明の効果】
本発明によれば、以下の利点を有する。
【００４４】
請求項１は、非接触媒体が記憶する残額情報を読み取って商品を販売する自動販売機の商品販売装置であって、前記非接触媒体が近接したとき、前記非接触媒体から現在の残額情報を読み取り、現在の残額情報で販売可能な商品のみを選択可能とし、更に、前記非接触媒体が再度近接したとき、前記非接触媒体の現在の残額情報から選択商品の金額情報を減算し、選択商品を販売する制御手段を、備えたものである。よって、利用者の非接触媒体の残額情報から誤った金額情報を減額するのを防止し、自動販売機の製造および販売に要する費用の上昇を抑止し、更に、利用者が商品を購入する際の操作を簡単とすることができる。
【００４５】
請求項２は、請求項１に係り、前記制御手段は、前記非接触媒体が２度近接したときの残額情報を読み取って一致を検出することにより、前記非接触媒体の現在の残額情報から選択商品の金額情報を減算し、選択商品を販売するものである。請求項３は、請求項１または２に係り、前記制御手段は、前記非接触媒体が２度近接したときの残額情報を読み取って不一致を検出することにより、選択商品の販売を無効とするものである。よって、残額が多い非接触媒体を近接した後、残額が少ない異なる非接触媒体を再度近接しても、残額情報の変更も商品の販売もしないので、後者の非接触媒体の残額が悪戯で増加するのを防止することができる。
【００４６】
請求項４は、請求項１に係り、前記制御手段は、前記非接触媒体が近接したとき、同一の非接触媒体が２度近接したことを検出するための確認情報を前記非接触媒体に記憶し、前記非接触媒体が再度近接したとき、前記確認情報を読み取って正誤判別するものである。請求項５は、請求項４に係り、前記制御手段は、前記確認情報を正と判別することにより、前記非接触媒体の現在の残額情報から選択商品の金額情報を減算し、選択商品を販売するものである。請求項６は、請求項４または５に係り、前記制御手段は、前記確認情報を誤と判別することにより、前記選択商品の販売を無効とするものである。よって、利用者を確実に特定することができる。
【００４７】
請求項７は、請求項１乃至６の何れかに係り、前記制御手段は、販売の異常を検出することにより、前記非接触媒体の近接を要求するとともに、前記非接触媒体の残額情報に選択商品の金額情報を戻すものである。よって、商品を販売しないときは確実に返金することができる。
【００４８】
請求項８は、請求項１乃至７の何れかに係り、前記制御手段は、前記非接触媒体の近接から次の近接までの所定の期間に要する時間が一定時間を超過したことを検出することにより、商品を販売するための処理を禁止するものである。請求項９は、請求項１乃至７の何れかに係り、前記制御手段は、人体センサが前記非接触媒体の近接から次の近接までの間に人体を検出しなくなったときの出力に基づいて、商品を販売するための処理を禁止するものである。よって、利用者が商品を購入する手続きを途中で中止しても、次の利用者が商品を購入するための待機状態とすることができる。
【００４９】
請求項１０は、請求項１乃至９の何れかに係り、前記非接触媒体は、残額情報を記憶する記憶部と、前記記憶部における残額情報の読み出しまたは書き込みを行う情報処理部と、自動販売機との間で残額情報を送受信する送受信部と、から成る非接触ＩＣカードである。よって、非接触ＩＣカードは携行しやすいので、商品の販売を促進することができる。
【００５０】
請求項１１は、非接触媒体が記憶する個人識別情報および残額情報を読み取って商品を販売する自動販売機の商品販売装置であって、前記非接触媒体が近接したとき、前記非接触媒体から個人識別情報を読み取って、この個人識別情報が正当であることを検出すると商品を選択可能な状態とし、更に、商品選択後に前記非接触媒体が再度近接したとき、前記非接触媒体の現在の残額情報から選択商品の金額情報を減算し、この選択商品を販売する制御手段を、備えたものである。例えば、煙草、アルコール飲料等の未成年者への販売を禁止されている商品を取り扱う自動販売機に適用する場合においては、個人識別情報を生年月日情報にして、自動販売機を管理する管理会社等、正当な管理をできるところが非接触媒体に登録申請のあった利用者の生年月日情報を記憶させて当該利用者に事前に配布すればよい。これより、自動販売機は、利用者が非接触媒体を自動販売機に２度近接することで、未成年者を確実に判別して商品の販売を禁止することと、成年者に対しては商品の販売とともに決済を確実にすることができる。
【図面の簡単な説明】
【図１】本発明を使用する自動販売機の正面図の一例である。
【図２】本発明の自動販売機の商品販売装置を説明するためのブロック図である。
【図３】本発明の自動販売機の商品販売装置の動作前半を説明するためのフローチャートである。
【図４】本発明の自動販売機の商品販売装置の動作後半を説明するためのフローチャートである。
【符号の説明】
５  非接触ＩＣカード
７  リーダライタ
１０１  主制御部
１０２  カード処理制御部
１０３  接客制御部
１０４  販売制御部
１０７  接客部
１０８  販売機構
【図１】
0003706926.tif 000002
【図２】
0003706926.tif 000003
【図３】
0003706926.tif 000004
【図４】
0003706926.tif 000005